(57)【要約】  【課題】  どのような定格電流の電流センサーが接続されても、自動的に定格電流を検出することのできる電力量計を提供する。  【解決手段】  電流センサー(１)に定格電流毎に定数の異なる電流／電圧変換回路(７)を取り付けるとともに、抵抗を配置する。この電流センサー(１)を電力量計の計器部分(３)に接続することにより、被測定回路(２)での定格電流に応じて生じた信号を制御部に入力することで、被測定回路(２))での定格電流値を自動的に検出して、電力量を計量する。【選択図】    図１
2006258443.tif 000002
【特許請求の範囲】
【請求項１】
電流センサー(１)に、定格電流毎に定数の異なる電流／電圧変換回路(７)を取り付けるとともに、定格電流毎に異なる抵抗を配置し、電流センサー(１)を電力量計の計器部分(３)に接続することにより、電流センサー(１)に配置した第一抵抗(８)と電力量計の計器部分(３)に配置した第二抵抗(10)との抵抗値に応じて分圧された電圧が、電力量計の制御部(６)に配置したＡ／Ｄ変換器(11)に入力されるように構成し、Ａ／Ｄ変換器(11)で変換された値が予め設定された電圧のどの範囲に入っているかによって定格電流を検出するように構成したことを特徴とする汎用性を有する電力量計。
【請求項２】
電流センサー(１)に、定格電流毎に定数の異なる電流／電圧変換回路(７)を取り付けるとともに、複数の抵抗(13)(14)からなる信号設定回路(15)を配置し、電流センサー(１)を電力量計の計器部分(３)に接続することにより、信号設定回路(15)からの信号を制御部(６)の入力ポート(16)に入力するように構成したことを特徴とする汎用性を有する電力量計。
【発明の詳細な説明】
【技術分野】
【０００１】
本発明は、電力量計に関し、特に複数の定格電流に対応することのできる電子式電力量計に関する。
【背景技術】
【０００２】
電力量計の定格電流は、被測定回路での負荷容量によって変化し、複数の定格があった。それらの定格に対して、従来は次に述べるような方式で電力量を計量していた。すなわち、図３に示すように、定格電流に合わせてその定格電流値に見合った電流センサー(51)を用意し、電流センサー(51)の変流比で変流した後、計量器(52)内の電流／電圧変換回路(53)で適当な電圧に変換して計量部(54)に入力する。
【０００３】
この場合電圧入力は、電圧変換回路(55)で適当な電圧に変換して計量部(54)に入力する。電流／電圧変換回路(53)で変換された入力信号(電圧)と電圧変換回路(55)で変換された入力信号(電圧)は、計量部(54)で電力量の計量を行い、計量パルスに変換して制御部(56)に入力する。なお、計量部(54)には制御部の調整値設定部より、予め取り付けられる電流センサー(51)、電圧変換回路及び計量部の特性を補正するための調整値を設定している。
【０００４】
制御部(56)では、電流センサー(51)の定格電流の違いによって、予め設定された分周比で計量パルスを分周し、計量値をカウントして、表示部に計量値を表示する。
【発明の開示】
【発明が解決しようとする課題】
【０００５】
前述の従来の構成では、定格電流によって、計器内部の電流／電圧変換回路の定数及び調整値並びに分周比が異なるため、定格電流ごとに電力量計を用意するか、或いは、手動スイッチなどで電圧／変換回路の定数及び調整値並びに分周比を切り替えるようにする必要があり、電力量計のセットが面倒である上、機器類の管理も面倒であるという問題があった。
【０００６】
本発明は、このような点に着目して、どのような定格電流の電流センサーが接続されても、自動的に定格電流を検出することのできる電力量計を提供することを目的とする。
【課題を解決するための手段】
【０００７】
上述の目的を達成するために請求項１に記載の本第一発明は、電流センサーに、定格電流毎に定数の異なる電流／電圧変換回路を取り付けるとともに、定格電流毎に異なる抵抗を配置し、電流センサーを電力量計に接続することにより、電流センサーに配置した第一抵抗と電力量計に配置した第二抵抗との抵抗値に応じて分圧された電圧が、電力量計の制御部に配置したＡ／Ｄ変換器に入力されるように構成し、Ａ／Ｄ変換器で変換された値が予め設定された電圧のどの範囲に入っているかによって定格電流を検出するように構成したことを特徴としている。
【０００８】
また、請求項２に記載した本第二発明は、電流センサーに、定格電流毎に定数の異なる電流／電圧変換回路を取り付けるとともに、複数の抵抗からなる信号設定回路を配置し、電流センサーを電力量計に接続することにより、信号設定回路からの信号を制御部の入力ポートに入力するように構成したことを特徴としている。
【発明の効果】
【０００９】
本発明では、電流センサーに配置した抵抗によって、被測定回路での定格電流に応じて発生した信号を制御部に入力することで、被測定回路での定格電流値を自動的に検出して、電力量を計量することができる。
【発明を実施するための最良の形態】
【００１０】
図１は、本発明の一実施形態を示す概略説明図である。この電子式電力量計は、電流センサー(１)を接続した被測定回路(２)と、計器部分(３)とで構成してある。
計器部分(３)には、被測定回路(２)の電圧を適当な電圧に変換する電圧変換回路(４)と、電圧変換回路(４)で変換された電圧が入力される計量部(５)と、計量部(５)で電力量の計量を行い、計量パルスに変換された電力量が入力される制御部(６)が配置してある。
【００１１】
また、電力センサー(１)には電流センサー(１)の定格電流に応じて設定された終端抵抗を有する電流／電圧変換回路(７)と、電流センサー(１)の定格電流ごとに異なる抵抗値に設定した第一の抵抗(８)とが配置された基板(９)が取り付けてある。そして、この基板(９)はコネクタ接続により、前述の計器部分(３)に接続されるようになっており、電力センサー(１)で検出した電流は、電流／電圧変換回路(７)で適当な電圧に変換されて計量部(５)に入力されることになる。一方、第一の抵抗(８)は計器部分(３)に配置されている第二の抵抗(10)と協働して、Ｖｃｃを分圧した電圧が、制御部(６)内のＡ／Ｄ変換器(11)に入力されるようになっている。
【００１２】
制御部(６)では、Ａ／Ｄ変換器(11)で変換された電圧値を利用して、この変換された電圧値が、予め設定された電圧のどの範囲に入っているかによって、自動的に定格電流を検出する。例えば、５ＶのＶcc電圧を０〜１.０Ｖ、１.０〜２.０Ｖ、２.０〜３.０Ｖ、３.０〜４.０Ｖ、４.０〜５.０Ｖの５段階に分類し、それぞれの電圧値毎に定格電流を３０Ａ、１２０Ａ、２５０Ａ、５００Ａ、５Ａとした場合に、Ａ／Ｄ変換器(11)で変換されたデジタル電圧値が０.５Ｖであったとすれば、制御部(６)は定格電流を自動的に３０Ａと認識する。
【００１３】
そして、制御部(６)で定格電流を認識検出すると、予め定格電流値に応じて設定されている分周比で計量パルスを分周して、計量値をカウントして表示部(12)に計量値を表示する。
【００１４】
このように、電流センサー(１)の種類ごとに終端抵抗を設定するために、計量部には、どの電流センサーが接続されても、同程度の信号レベルが入力されることになるから、同一規格の電力量計で各種の定格電流に設定されている被測定回路(２)の電力量を計量することができる。
【００１５】
図２は、本発明の別の実施形態を示し、これは、制御部(６)でのＡ／Ｄ変換器(11)を省略するとともに、電流センサー(１)に複数の抵抗(13)(14)を取り付けて[０]または[１]の信号の組み合わせが設定できる信号設定回路(15)を構成し、これを制御部(６)の入力ポート(16)に接続するようにして、信号の組み合わせを制御部(６)に入力するようにしたものである。
【００１６】
すなわち、電流センサー(１)の定格電流に応じて設定された終端抵抗を有する電流／電圧変換回路(７)と、電流センサー(１)の定格電流ごとに異なる抵抗値に設定した２つの抵抗(13)(14)とが配置された基板(９)が電流センサー(１)に取り付けてある。２つの抵抗(13)(14)をそれぞれ介装した信号設定回路(15)の各信号線(17)(18)が入力ポート(16)に接続してある。また、各信号線(17)(18)からの分岐線にプルアップ抵抗(19)(20)が装着してあり、抵抗(13)(14)の実装の有無により、入力ポート(16)への信号を[０]と[１]のどちらかに設定できるように構成している。
【００１７】
そして、 抵抗(13)(14)での[０]と[１]との信号の組合せで４つの出力信号の形態が生じ、それぞれの出力信号の種類を４種類の定格電流値に割り当てることにより、被測定回路(２)に供給されている定格電流を自動的に認識し、予め定格電流値に応じて設定されている分周比で計量パルスを分周して、計量値をカウントして表示部(12)に計量値を表示する。
【産業上の利用可能性】
【００１８】
このように、同一規格の電力量計で被測定回路の複数の定格電流での電力量を計量することができる電子式電力量計を提供する。
【図面の簡単な説明】
【００１９】
【図１】本発明の一実施形態を示す概略説明図である。
【図２】本発明の別の実施形態を示す概略説明図である。
【図３】従来技術を示す概略説明図である。
【符号の説明】
【００２０】
１…電流センサー、３…計器部分、６…制御部、７…電流／電圧変換回路、８…第一抵抗、10…第二抵抗、11…Ａ／Ｄ変換器、13・14…抵抗、15…信号設定回路、16…入力ポート。
【図１】
2006258443.tif 000003
【図２】
2006258443.tif 000004
【図３】
2006258443.tif 000005